(57)【要約】【課題】本発明は、無線でデータ通信する無線通信装置に関し、無線ネットワークとＩＣカードとの双方に利用可能で、かさばらず可搬性に優れた無線通信装置を提供することにある。【解決手段】無線通信装置１の筐体２には回路部品が実装された基板３が内蔵されている。基板３の一端側には例えばＰＣＭＣＩＡ規格に準拠したインタフェース部９が配置されている。基板３の中央には通信用データの信号変換処理等を行う信号処理回路部５が配置されている。基板３の他端側には、ＰＣ等に収納した際にＰＣ等の筐体から突出する拡張部４が設けられている。制御部１０とベースバンドＭＡＣ部１２と無線部１１と無線ネットワーク用アンテナ６、６’とで無線ネットワーク用通信部が構成される。制御部１０とＩＣカード用アンテナ７でＩＣカード用通信部が構成される。【選択図】    図１
2004343504.tif 000002
【特許請求の範囲】
【請求項１】
無線ネットワークに接続してデータ通信する無線ネットワーク用通信部と、
ＩＣカードとの間でデータ通信するＩＣカード用通信部と
を有することを特徴とする無線通信装置。
【請求項２】
請求項１記載の無線通信装置において、
前記ＩＣカード用通信部は、前記ＩＣカードと非接触でデータ通信するためのＩＣカード用アンテナを有していること
を特徴とする無線通信装置。
【請求項３】
請求項２記載の無線通信装置において、
前記ＩＣカード用アンテナは、前記無線ネットワーク用通信部の実装面側に配置されていること
を特徴とする無線通信装置。
【請求項４】
請求項２記載の無線通信装置において、
前記ＩＣカード用アンテナは、前記無線ネットワーク用通信部の実装面の裏面側に配置されていること
を特徴とする無線通信装置。
【請求項５】
請求項２記載の無線通信装置において、
前記無線ネットワーク用通信部は、所定の間隙で配置されている少なくとも２つ以上の無線ネットワーク用アンテナを有し、
前記ＩＣカード用アンテナは、前記少なくとも２つ以上の無線ネットワーク用アンテナを囲む外周に形成されていること
を特徴とする無線通信装置。
【請求項６】
請求項１記載の無線通信装置において、
前記ＩＣカード用通信部は、前記ＩＣカードと接触させてデータ通信するための接触用端子を有していること
を特徴とする無線通信装置。
【請求項７】
請求項６記載の無線通信装置において、
前記接触用端子は、前記無線ネットワーク用通信部の実装面側に配置されていること
を特徴とする無線通信装置。
【請求項８】
請求項６記載の無線通信装置において、
前記接触用端子は、前記無線ネットワーク用通信部の実装面の裏面側に配置されていること
を特徴とする無線通信装置。
【請求項９】
請求項６記載の無線通信装置において、
前記無線ネットワーク用通信部は、所定の間隙で配置されている少なくとも２つ以上の無線ネットワーク用アンテナを有し、
前記接触用端子は、前記間隙に配置されていること
を特徴とする無線通信装置。
【請求項１０】
請求項６乃至９のいずれか１項に記載の無線通信装置において、
前記ＩＣカードを挿入するスロットをさらに有していること
を特徴とする無線通信装置。
【発明の詳細な説明】
【０００１】
【発明の属する技術分野】
本発明は、無線でデータ通信する無線通信装置に関する。
【０００２】
【従来の技術】
近年、例えばＩＥＥＥ８０２．１１シリーズの規格に代表される無線ＬＡＮ（ローカル・エリア・ネットワーク）によるデータ通信が普及しつつある。無線ＬＡＮでは電波による無線ネットワークを構築して、パーソナルコンピュータ（以下、ＰＣと略記する）同士あるいはＰＣとプリンタ等の周辺装置との間でデータ通信することができる。
【０００３】
ＰＣを無線ネットワークに接続するために例えば無線ＬＡＮカードが用いられている。無線ＬＡＮカードは、無線通信に適用させるためにデータをデジタル／アナログ変換したり周波数変換したりする。変換されたデータは、無線ＬＡＮカードに設けられたアンテナを介して無線ネットワークを構築するアクセスポイント等との間で送受信される。
【０００４】
無線でデータ通信を行う別の装置として非接触式ＩＣカードが知られている。非接触式ＩＣカードは、合成樹脂製カードに集積回路及びアンテナ等が埋め込まれており、非接触でデータの送受信が行えるようになっている。非接触式ＩＣカードは電子マネーカードや鉄道の定期乗車券等に応用されている。非接触式ＩＣカードとのデータ通信は、専用のデータ読出し／書込み装置や、データ読出し／書込み装置を内蔵した自動改札機で行われる。なおＩＣカードには、非接触式ではなく、カード表面に露出した接触用端子を備えた接触式も存在する。接触式ＩＣカードでは、接触用端子を備えたデータ読出し／書込み装置に接触用端子同士を接触させてデータ通信を行う。
【０００５】
【特許文献１】
特開２００２−２８１０４４号公報
【０００６】
【発明が解決しようとする課題】
ところで、近年、公共の場所に設置されたアクセスポイント（ホット・スポット）を利用して、無線ＬＡＮカードの装着されたＰＣを屋外から無線ネットワークに接続できるようになってきている。ホット・スポットを利用するには、予め登録した個人ＩＤ（認証番号）やパスワードを入力することが要求される。さらにホット・スポットから社外ネットワークを介して社内ネットワークに接続するような場合も個人ＩＤやパスワードの入力が要求される。このような場合に個人ＩＤやパスワードを忘れてしまったとしたら、ＰＣを無線ネットワークに接続できない。また、ＩＤやパスワードを覚えていたとしても、ホット・スポットを利用する度に個人ＩＤとパスワードを一々入力するのは手間がかかり煩雑である。そこで、ＩＣカードに個人ＩＤやパスワードを記憶させておいて、ホット・スポットの利用時にＰＣに読み込むようにすれば便利である。
【０００７】
ところが、ＩＣカードとＰＣとの間でデータ通信するには、データ読出し／書込み装置をＰＣに接続する必要がある。ＰＣを屋内に常設して用いるのであればデータ読出し／書込み装置を接続しても特に不便はないが、屋外に持ち出して使用する場合にはデータ読出し／書込み装置も一緒に携帯する必要が生じるため、かさばってしまい機器の可搬性が低下してしまうという問題が生じる。
【０００８】
本発明の目的は、無線ネットワークとＩＣカードとの双方に利用可能で、かさばらず可搬性に優れた無線通信装置を提供することにある。
【０００９】
【課題を解決するための手段】
上記目的は、無線ネットワークに接続してデータ通信する無線ネットワーク用通信部と、ＩＣカードとの間でデータ通信するＩＣカード用通信部とを有することを特徴とする無線通信装置によって達成される。
【００１０】
上記本発明の無線通信装置において、前記ＩＣカード用通信部は、前記ＩＣカードと非接触でデータ通信するためのＩＣカード用アンテナを有していることを特徴とする。
【００１１】
上記本発明の無線通信装置において、前記ＩＣカード用アンテナは、前記無線ネットワーク用通信部の実装面側に配置されていることを特徴とする。
【００１２】
上記本発明の無線通信装置において、前記ＩＣカード用アンテナは、前記無線ネットワーク用通信部の実装面の裏面側に配置されていることを特徴とする。
【００１３】
上記本発明の無線通信装置において、前記無線ネットワーク用通信部は、所定の間隙で配置されている少なくとも２つ以上の無線ネットワーク用アンテナを有し、前記ＩＣカード用アンテナは、前記少なくとも２つ以上の無線ネットワーク用アンテナを囲む外周に形成されていることを特徴とする。
【００１４】
上記本発明の無線通信装置において、前記ＩＣカード用通信部は、前記ＩＣカードと接触させてデータ通信するための接触用端子を有していることを特徴とする。
【００１５】
上記本発明の無線通信装置において、前記接触用端子は、前記無線ネットワーク用通信部の実装面側に配置されていることを特徴とする。
【００１６】
上記本発明の無線通信装置において、前記接触用端子は、前記無線ネットワーク用通信部の実装面の裏面側に配置されていることを特徴とする。
【００１７】
上記本発明の無線通信装置において、前記無線ネットワーク用通信部は、所定の間隙で配置されている少なくとも２つ以上の無線ネットワーク用アンテナを有し、前記接触用端子は、前記間隙に配置されていることを特徴とする。
【００１８】
上記本発明の無線通信装置において、前記ＩＣカードを挿入するスロットをさらに有していることを特徴とする。
【００１９】
【発明の実施の形態】
本発明の一実施の形態による無線通信装置について図１乃至図３を用いて説明する。まず、本実施の形態による無線通信装置１の概略の構成について図１を用いて説明する。図１（ａ）は、無線通信装置１の回路部品の概略の配置状態を示している。図１（ｂ）は、無線通信装置１の概略の回路構成を機能ブロックで示している。図１（ａ）又は図１（ｂ）に示すように、無線通信装置１は、平板状の筐体２を有しており、筐体２には制御ＩＣ等の回路部品が実装された矩形状の基板３が内蔵されている。基板３の長手方向の一端側（図の左側）には、ＰＣ等の情報処理装置に接続するための、例えばＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したインタフェース部９が配置されている。さらに基板３のほぼ中央には、通信用データの信号変換処理等を行う信号処理回路部５が配置されている。基板３の長手方向の他端側（図の右側）には、ＰＣ等に収納した際にＰＣ等の筐体から突出する拡張部４が設けられている。
【００２０】
図１（ｂ）に示すように信号処理回路部５には、制御部１０と無線部１１とベースバンドＭＡＣ（Ｍｅｄｉａ  Ａｃｃｅｓｓ  Ｃｏｎｔｒｏｌ）部１２とが配置されている。制御部１０は、無線ネットワークやＩＣカードとの間で送受信する通信データをインタフェース部９を介してＰＣ等の情報処理装置（不図示）との間で授受する。また、制御部１０は、ベースバンドＭＡＣ部１２との間で種々の制御信号の送受と共に送受信用データの送受を行う。ベースバンドＭＡＣ部１２は、デジタルの送信信号をアナログ信号に変換したり、アナログの受信信号をデジタル信号に変換したりする。ベースバンドＭＡＣ部１２には無線部１１が接続されている。無線部１１は送受信信号の周波数変換等を行う。
【００２１】
図１（ａ）及び（ｂ）に示すように、拡張部４には、無線ネットワークを構築するアクセスポイント（不図示）等の外部無線通信機器との間でデータの送受信を行うための２個の無線ネットワーク用アンテナ６、６’が所定の間隙で配置されている。無線ネットワーク用アンテナ６、６’は無線部１１にそれぞれ接続されてダイバシティ方式のアンテナとして機能する。
【００２２】
また、拡張部４の無線ネットワーク用アンテナ６、６’の間隙には、接触式ＩＣカード（不図示）の接触端子に接触してデータ通信をするための接触用端子８が配置されている。さらに、拡張部４の無線ネットワーク用アンテナ６、６’を囲む外周には、非接触式ＩＣカード（不図示）の送受信装置と無線でデータ通信をするためのＩＣカード用アンテナ７が基板３上にスパイラル状に形成されて配置されている。ＩＣカード用アンテナ７と接触用端子８とはそれぞれ制御部１０に接続されている。
【００２３】
以上説明した回路構成において、少なくとも、制御部１０と、ベースバンドＭＡＣ部１２と、無線部１１と、無線ネットワーク用アンテナ６、６’とで、無線ネットワークとの間でデータ通信する無線ネットワーク用通信部が構成される。また、少なくとも、制御部１０と、ＩＣカード用アンテナ７及び又は接触用端子８とで、ＩＣカードとの間でデータ通信するＩＣカード用通信部が構成される。
【００２４】
図２は、本実施の形態による無線通信装置１の使用状態を示す斜視図である。図２（ａ）は非接触式ＩＣカード１３との間でデータ通信している状態を示し、図２（ｂ）は、接触式ＩＣカード１７との間でデータ通信している状態を示している。無線通信装置１の筐体２は金属製フレーム部１５と合成樹脂製フレーム部１６を有している。金属製フレーム部１５内部には信号処理回路部５とインタフェース部９とが配置されている。合成樹脂製フレーム部１６内部には拡張部４が配置されている。無線通信装置１をＰＣ等の情報処理装置のカードスロット（共に不図示）に装着すると、合成樹脂製フレーム部１６は情報処理装置の外方に突出するので、拡張部４に配置されたアンテナ類が情報処理装置の外方に突出して安定して無線通信できるようになっている。図２（ａ）に示す例では、筐体２内の金属製フレーム部１５及び合成樹脂製フレーム部１６上面側が無線ネットワーク用通信部の実装面になっており、ＩＣカード用アンテナ７は、無線ネットワーク用通信部の実装面側に配置されている。従って、非接触式ＩＣカード１３は、図２（ａ）に示すように、合成樹脂製フレーム部１６の上方からかざしてデータ通信するようになっている。
【００２５】
また、合成樹脂製フレーム部１６には、接触式ＩＣカード１７を挿入するスロット１４が設けられている。接触式ＩＣカード１７をスロット１４に挿入すると、接触式ＩＣカード１７の接触端子（不図示）と本実施の形態の接触用端子８とが電気的に接続されるようになっている。
【００２６】
次に、無線通信装置１の動作について再び図１及び図２を用いて説明する。無線通信装置１はＰＣ等の情報処理装置のカードスロット（共に不図示）に装着されているものとする。まず、情報処理装置から無線通信装置１を用いて無線ネットワークに接続されている他の情報処理装置（不図示）にデータを送信する方法について説明する。情報処理装置で作成された送信用データは、インタフェース部９及び制御部１０を介してベースバンドＭＡＣ部１２に出力される。ベースバンドＭＡＣ部１２は、送信用データに無線ネットワーク通信に必要な制御情報を付加する。また、ベースバンドＭＡＣ部１２は、情報処理装置で選択された無線ＬＡＮ規格に基づいて送信用データの変調処理を行う。例えば、ＩＥＥＥ８０２．１１ａ規格でデータを送信する場合はＯＦＤＭ変調処理が施される。
【００２７】
以上の処理がなされた送信用データは、ベースバンドＭＡＣ部１２でデジタル／アナログ変換されて無線部１１に出力される。アナログ信号に変換された送信用データの周波数は、無線部１１で５ＧＨｚ帯に変換される。送信用データは、５ＧＨｚ帯の電波として無線ネットワーク用アンテナ６、６’から他の無線通信装置に送信される。他の無線通信装置から送信された電波の受信方法は上記送信処理をほぼ逆にした手順で実行される。
【００２８】
次に、情報処理装置から無線通信装置１を用いて非接触式ＩＣカード１３にデータを送信する方法について説明する。情報処理装置で作成された送信用データは、インタフェース部９を介して制御部１０に出力される。制御部１０は、送信用データを通信する非接触式ＩＣカード１３の規格に基づいて送信用データに対して変調及び符号化等の信号変換処理を行う。信号変換処理された送信用データは、例えば１３．５６ＭＨｚの電波としてＩＣカード用アンテナ７から非接触式ＩＣカード１３に送信される。図２（ａ）に示すように、非接触式ＩＣカード１３を合成樹脂フレーム部１６の上方にかざすことで非接触式ＩＣカード１３にデータが書き込まれる。非接触式ＩＣカード１３から送信された電波の受信方法は上記送信処理をほぼ逆にした手順で実行される。
【００２９】
次に、情報処理装置から無線通信装置１を用いて接触式ＩＣカード１７にデータを送信する方法について説明する。情報処理装置で作成された送信用データは、インタフェース部９を介して制御部１０に出力される。制御部１０は、送信用データを通信する接触式ＩＣカード１７の規格に基づいて送信用データの並び替え等を行う。並び替え等がなされた送信用データは、接触用端子８を介して接触式ＩＣカード１７に送信される。図２（ｂ）に示すように、接触式ＩＣカード１７は無線通信装置１の側面に備えられたスロット１４に挿入される。接触式ＩＣカード１７の接触用端子（不図示）は、基板３上の接触用端子８に接触してデータが送信される。接触式ＩＣカード１７から送信された受信用データの受信方法は上記送信処理をほぼ逆にした手順で実行される。
【００３０】
なお、非接触式ＩＣカード１３又は接触式ＩＣカード１７から送信されたデータを無線通信装置１で受信して無線ネットワークに送信することも可能である。例えば、非接触式ＩＣカード１３から送信されたデータ（アナログ信号）は、ＩＣカード用アンテナ７で受信されて制御部１０に出力される。制御部１０は、入力されたアナログ信号のデータをデジタル信号のデータに変換する。制御部１０は、デジタル信号に変換されたデータをベースバンドＭＡＣ部１２に出力する。ベースバンドＭＡＣ部１２及び無線部１１は当該デジタルデータに所定の信号変換処理を施す。信号変換処理されたデータは、電波として無線ネットワーク用アンテナ６，６’から他の無線通信装置に送信される。以上の動作により、非接触式ＩＣカード１３から送信されたデータを無線ネットワークに接続された他の情報処理装置に送信することができる。他の無線通信装置から送信されたデータを無線受信装置１で受信して非接触式ＩＣカード１３に送信することも可能である。
【００３１】
このように、本実施の形態の無線通信装置１であれば、ＩＣカードのデータを情報処理装置に読み込んだり、無線ネットワークに送信したりすることができる。ＩＣカード用アンテナ７及び接触用端子８は基板３の空き領域に配置することができるので、本実施の形態による無線通信装置１の大きさは、従来の無線通信装置とほぼ同形状、同寸法にすることができる。従って、無線通信装置１を装着した情報処理装置の携帯性、可搬性が損なわれることはない。
【００３２】
次に、本実施の形態の無線通信装置１の第１の変形例について図３を用いて説明する。上記実施の形態では、ＩＣカード用アンテナ７は無線ネットワーク用アンテナ６，６’の実装面側に形成されている。これに対して本変形例ではＩＣカード用アンテナ７が無線ネットワーク用アンテナ６，６’実装面の裏面の基板３表面上に形成されている点に特徴を有している。
【００３３】
本変形例の無線通信装置１であっても、制御部１０やＩＣカード用アンテナ７等の電気的接続に関しては上記実施の形態と同様である。従って、無線通信装置１と無線ネットワーク間のデータの通信方法及び無線通信装置１と接触式ＩＣカード１７間のデータの通信方法は上記実施の形態と同様である。
【００３４】
本変形例の無線通信装置１ではＩＣカード用アンテナ７が基板３の裏面側に形成されているので、無線通信装置１がＰＣ等の情報処理装置のカードスロット（共に不図示）に装着されると、図３に示すように非接触式ＩＣカード１３は合成樹脂フレーム部１６の下方からかざしてデータの通信を行う。なお、非接触式ＩＣカード１３をかざす方向が異なる点を除いて、無線通信装置１と非接触式ＩＣカード１３間のデータの通信方法は上記実施の形態と同様であるので説明は省略する。
【００３５】
このように、本変形例の無線通信装置１であれば、ＩＣカードのデータを情報処理装置に読み込んだり、無線ネットワークに送信したりすることができる。また、基板３は内層にグランド用の面状パターンを有しているので、当該グランドパターンのシールド効果によって無線ネットワーク用アンテナ６、６’で通信される電波とＩＣカード用アンテナ７で通信される電波との干渉を十分に低減することができる。さらに、ＩＣカード用アンテナ７及び接触用端子８は基板３の空き領域に配置することができるので、本実施の形態による無線通信装置１は、従来の無線通信装置とほぼ同形状、同寸法にすることができる。従って、無線通信装置１を装着した情報処理装置の携帯性、可搬性はほとんど損なわれない。
【００３６】
次に、本実施の形態の無線通信装置１の第２の変形例について図４を用いて説明する。上記実施の形態では、接触用端子８は無線ネットワーク用アンテナ６、６’の実装面側に形成されている。これに対して本変形例では、接触用端子８は無線ネットワーク用アンテナ６、６’実装面の裏面の基板３表面上に形成されている点に特徴を有している。これに対応して、図４に示すように、接触式ＩＣカード１７を挿入するスロット１４は、合成樹脂フレーム部１６の側面において基板３に対応する位置よりも下方に形成されている。なお、これ以外の構造は、基本的に上記実施の形態と同様である。
【００３７】
本変形例の無線通信装置１では、図４に示すように、接触式ＩＣカード１７は合成樹脂フレーム部１６の側面下方に形成されたスロット１４に挿入され、接触用端子８を介して基板３に電気的に接続される。これにより無線通信装置１と接触式ＩＣカード１７との間で、データの送受信が行われる。
【００３８】
このように基板３の裏面の空き領域を利用して接触用端子８を配置するようにしても、従来とほぼ同形状、同寸法の可搬性に優れた無線通信装置１を実現することができる。
【００３９】
本発明は、上記実施の形態に限らず種々の変形が可能である。
上記実施の形態ではＩＣカード用アンテナ７を基板３に形成しているが本発明はこれに限られない。例えば、ＩＣカード用アンテナ７をＦＰＣ（Ｆｌｅｘｂｌｅ  Ｐｒｉｎｔｅｄ  Ｃｉｒｃｉｔ）上に形成し、当該ＦＰＣを基板３に例えば半田付けしても同様の効果を得ることができる。ＦＰＣは無線ネットワーク用アンテナ６、６’の実装面側に配置してもよい。あるいは、ＦＰＣは無線ネットワーク用アンテナ６、６’の実装面の裏面側に配置してもよい。さらに、ＦＰＣは基板３の側面に配置してもよい。薄さが数十μｍのＦＰＣは種々の形状や寸法に加工できるので、いずれの配置状態でも無線通信装置１の外形寸法が大きくなることはない。また、無線通信装置１が情報処理装置内に完全に入り込んで装着されてしまう場合であっても、ＦＰＣを基板３側面に配置すればＩＣカード用アンテナ７を情報処理装置の筐体側面に配置させることが可能になる。従って、非接触式ＩＣカード１３を情報処理装置の側面にかざせば無線通信装置１と非接触式ＩＣカード１３との間でのデータ通信が可能である。
【００４０】
また、上記実施の形態ではＩＣカード用アンテナ７及び接触用端子８が基板３上に配置されているが、本発明はこれに限られない。例えば、接触用端子８を配置せずにＩＣカード用アンテナ７のみを基板３上に配置してもよい。この場合には、接触式ＩＣカード１７とのデータ読み出し／書き込みはできなくなるが、無線通信装置１にスロット１４を設ける必要がないので、無線通信装置１の小型化が図れる。
また、非接触式ＩＣカード１３を使用しない場合には、ＩＣカード用アンテナ７の配置を省略して接触用端子８のみを基板３上に配置するようにしてももちろんよい。
【００４１】
また上記実施の形態では、２つの無線ネットワーク用アンテナ６、６’が設けられている場合について説明したが、本発明はこれに限らず、無線ネットワーク用アンテナとしては２つ以上あってもよい。その場合、ＩＣカード用アンテナ７をその２つ以上の無線ネットワーク用アンテナを囲む外周に配置すれば、上述の場合と同様に、基板３の空き領域を利用して従来とほぼ同形状、同寸法の可搬性に優れた無線通信装置１を実現することができる。また接触用端子８をその２つ以上の無線ネットワーク用アンテナのいずれかの間隙に配置するようにすれば、上述の場合と同様に、基板３の空き領域を利用して従来とほぼ同形状、同寸法の可搬性に優れた無線通信装置１を実現することができる。
【００４２】
また上記実施の形態では、無線通信装置１の基板３上に制御部１０を設けたが、本発明はこれに限らず、制御部１０を情報処理装置に設けるようにしてもよい。この場合、ＩＣカード用アンテナ７あるいは接触用端子８はそれぞれインタフェース部９を介して制御部１０に接続される。このような構成にしても、上述の場合と同様の効果を得ることができる。
【００４３】
【発明の効果】
以上の通り、本発明によれば、無線ネットワークとＩＣカードとの双方に利用可能で、かさばらず可搬性に優れた無線通信装置を実現できる。
【図面の簡単な説明】
【図１】本発明の一実施の形態による無線通信装置１の概略の構成を示す図であり、図１（ａ）は、無線通信装置１の回路部品の概略の配置状態を示し、図１（ｂ）は、無線通信装置１の概略の回路構成を機能ブロックで示している。
【図２】本発明の一実施の形態による無線通信装置１の使用状態を示す斜視図である。
図２（ａ）は非接触式ＩＣカード１３との間でデータ通信している状態を示し、図２（ｂ）は、接触式ＩＣカード１７との間でデータ通信している状態を示している。
【図３】本発明の一実施の形態による無線通信装置１の第１の変形例の使用状態を示す斜視図である。
【図４】本発明の一実施の形態による無線通信装置１の第２の変形例の使用状態を示す斜視図である。
【符号の説明】
１  無線通信装置
２  筐体
３  基板
４  拡張部
５  信号処理回路部
６、６’  無線ネットワーク用アンテナ
７  ＩＣカード用アンテナ
８  接触用端子
９  インタフェース部
１０  制御部
１１  無線部
１２  ベースバンドＭＡＣ部
１３  非接触式ＩＣカード
１４  スロット
１５  金属製フレーム部
１６  合成樹脂製フレーム部
１７  接触式ＩＣカード
【図１】
2004343504.tif 000003
【図２】
2004343504.tif 000004
【図３】
2004343504.tif 000005
【図４】
2004343504.tif 000006